(57)【要約】【課題】暗い環境においてライトを使用してカメラ撮影した場合に良好な画質を適正に得ることが可能なカバーアクセサリ、及び電子機器を提供する。【解決手段】表面にディスプレイが配設されるとともに背面にカメラ１５及び撮影補助用のライト１６が配設された携帯用情報機器１０の少なくとも背面側を覆うことができるように構成されたカバー本体２１と、カバー本体２１に設けられ、ライト１６を覆うことでライト１６から入力される光を拡散して出力する光拡散部２４と、を備える。【選択図】図５
2016218250.tif 000002
【特許請求の範囲】
【請求項１】
表面にディスプレイが配設されるとともに背面にカメラ及び撮影補助用のライトが配設された携帯用情報機器の少なくとも背面側を覆うことができるように構成されたカバー本体と、
該カバー本体に設けられ、前記ライトを覆うことで該ライトから入力される光を拡散して出力する光拡散部と、を備えることを特徴とするカバーアクセサリ。
【請求項２】
請求項１に記載のカバーアクセサリにおいて、
前記カバー本体は、前記カメラ及び前記ライトに対応する位置に開口部が形成されており、該開口部内に前記光拡散部が配設されていることを特徴とするカバーアクセサリ。
【請求項３】
請求項２に記載のカバーアクセサリにおいて、
前記携帯用情報機器の側面に装着され、前記カバー本体と連結された折り返し機構を備え、該折り返し機構で前記携帯用情報機器の表面側及び背面側を選択的に覆うことができるように構成されており、
前記カバー本体が表面側に配置された状態では、前記開口部が前記ディスプレイに重なる位置に配置され、
前記カバー本体が背面側に配置された状態では、前記開口部が前記カメラ及び前記ライトに対応する位置に配置され、前記光拡散部が前記ライトに重なる位置に配置されることを特徴とするカバーアクセサリ。
【請求項４】
請求項２または３に記載のカバーアクセサリにおいて、
前記開口部に設けられ、前記光拡散部をスライドするスライド機構を備えることを特徴とするカバーアクセサリ。
【請求項５】
請求項１に記載のカバーアクセサリにおいて、
前記カバー本体は、
前記カメラ及び前記ライトを覆うとともに折り返し可能に構成された折り返し部を有し、
前記折り返し部に前記光拡散部が配設されるとともに、前記折り返し部を折り返した状態で、前記光拡散部で前記ライトを覆うか否かを切り替え可能であることを特徴とするカバーアクセサリ。
【請求項６】
請求項５に記載のカバーアクセサリにおいて、
前記折り返し部が２段階に折り返し可能に構成され、
１段階目を折り返した場合、前記光拡散部が前記ライトを覆う状態となり、
２段階目を折り返した場合、前記光拡散部が前記ライトを覆わない状態となることを特徴とするカバーアクセサリ。
【請求項７】
請求項１から請求項６のいずれか１項に記載のカバーアクセサリにおいて、
前記光拡散部は、前記ライトとの間に間隔をあけて設けられることを特徴とするカバーアクセサリ。
【請求項８】
請求項７に記載のカバーアクセサリにおいて、
前記光拡散部と前記携帯用情報機器の背面との間に設けられ、前記ライトの周囲を囲う壁部を備えることを特徴とするカバーアクセサリ。
【請求項９】
請求項８に記載のカバーアクセサリにおいて、
前記壁部と前記携帯用情報機器の背面との間の隙間を塞ぐ光漏れ防止部材を備えることを特徴とするカバーアクセサリ。
【請求項１０】
請求項１から９のいずれか１項に記載のカバーアクセサリと、
該カバーアクセサリが装着された携帯用情報機器と、を備えることを特徴とする電子機器。
【発明の詳細な説明】
【技術分野】
【０００１】
本発明は、カバーアクセサリ、及び電子機器に関するものである。
【背景技術】
【０００２】
スマートフォンや、物理的なキーボードを持たないタブレット型パーソナルコンピュータ（タブレット型ＰＣ）をはじめとする携帯用情報機器は、カメラ及び撮影補助用のライトを備える型式のものがあり、カメラ撮影が可能となっている。近年、携帯用情報機器が備えるカメラの性能は向上の一途を辿っている。
【０００３】
上述の携帯用情報機器は、ディスプレイが配設された表面側や、カメラ及びライトが配設された背面側を保護するためのカバーアクセサリが装着された電子機器として使用されることがある。例えば、特許文献１には、スマートフォン（携帯用情報機器）の側面及び背面を覆うカバーアクセサリが記載されている。このカバーアクセサリにおいては、カメラ及びライトを覆う部分に開口部が形成されている。そして、このカバーアクセサリの開口部に、遮光材料からなり、ライト部分の回りを円筒状に立ち上げた形状の後付パーツを配設する構成とされている。この後付パーツにより、ライトからの光がカバーアクセサリ内に入り込むことを防止している。
【先行技術文献】
【特許文献】
【０００４】
【特許文献１】特開２０１２−２３０４２７号公報
【発明の概要】
【発明が解決しようとする課題】
【０００５】
ところで、携帯用情報機器が備えるカメラは、暗い環境や逆光の環境など、種々の環境に応じて良好に撮影可能なことが求められている。しかしながら、暗い環境においてライトを使用してカメラ撮影した場合、撮影画像に白飛びが発生するなどし、画質の劣化が生じることがあるという問題があった。
【０００６】
本発明は、上記に鑑みてなされたものであって、暗い環境においてライトを使用してカメラ撮影した場合に良好な画質を適正に得ることが可能なカバーアクセサリ、及び電子機器を提供することを目的とする。
【課題を解決するための手段】
【０００７】
上述した課題を解決し、目的を達成するために、本発明に係るカバーアクセサリは、表面にディスプレイが配設されるとともに背面にカメラ及び撮影補助用のライトが配設された携帯用情報機器の少なくとも背面側を覆うことができるように構成されたカバー本体と、該カバー本体に設けられ、前記ライトを覆うことで該ライトから入力される光を拡散して出力する光拡散部と、を備えることを特徴とする。
【０００８】
このような構成によれば、前記ライトを覆うことで該ライトから入力される光を拡散して出力する光拡散部を備えているので、暗い環境においてライトを使用してカメラ撮影する際に、ライトの光を光拡散部により拡散させることで対象物に達する光量が減少するので白飛びの発生を抑制することができ、良好な画質を適正に得ることが可能となる。
【０００９】
また、本発明に係るカバーアクセサリにおいて、前記カバー本体は、前記カメラ及び前記ライトに対応する位置に開口部が形成されており、該開口部内に前記光拡散部が配設されていると良い。この場合、カバー本体には開口部が形成され、この開口部内に光拡散部が配設されているので、ライトを使用してカメラ撮影する際に、カバー本体によってライトからの光を遮ることなく、光拡散部によりライトからの光を拡散させてカメラ撮影を行うことができる。
【００１０】
また、本発明に係るカバーアクセサリは、前記携帯用情報機器の側面に装着され、前記カバー本体と連結された折り返し機構を備え、該折り返し機構で前記携帯用情報機器の表面側及び背面側を選択的に覆うことができるように構成されており、前記カバー本体が表面側に配置された状態では、前記開口部が前記ディスプレイに重なる位置に配置され、前記カバー本体が背面側に配置された状態では、前記開口部が前記カメラ及び前記ライトに対応する位置に配置され、前記光拡散部が前記ライトに重なる位置に配置されると良い。
【００１１】
このような構成によれば、携帯用情報機器の表面側をカバー本体が覆う場合は、ディスプレイを保護することができ、また、カバー本体を背面側に折り返した場合には光拡散部がライトを覆うのでライトを使用してカメラ撮影した際に、白飛びの発生を抑制して良好な画質を適正に得ることが可能となる。
【００１２】
また、本発明に係るカバーアクセサリは、前記開口部に設けられ、前記光拡散部をスライドするスライド機構を備えることを特徴とする。この構成においては、スライド機構によって光拡散部を開口部において移動させることで必要に応じてライトを光拡散部で覆うか否かを選択することができる。
【００１３】
また、本発明に係るカバーアクセサリにおいて、前記カバー本体は、前記カメラ及び前記ライトを覆うとともに折り返し可能に構成された折り返し部を有し、前記折り返し部に前記光拡散部が配設されるとともに、前記折り返し部を折り返した状態で、前記光拡散部で前記ライトを覆うか否かを切り替え可能である構成としても良い。この構成においては、カバー本体を背面側に配置した状態で折り返し部を折り返すことによって、カバー本体によって遮られることなくカメラ及びライトを露出させ、カメラ撮影を行うことができる。さらに、光拡散部でライトを覆うか否かを切り替え可能に構成されているので、光量を調整して良好な画質を得ることができる。
【００１４】
また、本発明に係るカバーアクセサリにおいて、前記折り返し部が２段階に折り返し可能に構成され、１段階目を折り返した場合、前記光拡散部が前記ライトを覆う状態となり、２段階目を折り返した場合、前記光拡散部が前記ライトを覆わない状態となる構成としても良い。この構成では、折り返し部を２段階に折り返す構成とすることによって、容易に、カバー本体がライトを覆う状態と覆わない状態とを切り替えることができる。
【００１５】
また、本発明に係るカバーアクセサリにおいて、前記光拡散部は、前記ライトとの間に間隔をあけて設けられると良い。この場合、光拡散部がライトとの間に間隔が設けられていることによってより白飛びの発生を抑制することができる。
【００１６】
また、本発明に係るカバーアクセサリは、前記光拡散部と前記携帯用情報機器の背面との間に設けられ、前記ライトの周囲を囲う壁部を備えると良い。この場合、ライトから出力された光を壁の延びる方向に出力した後に光拡散部によって光を拡散するので、より白飛びの発生を抑制できる。
【００１７】
また、本発明に係るカバーアクセサリは、前記壁部と前記携帯用情報機器の背面との間の隙間を塞ぐ光漏れ防止部材を備えると良い。この場合、光漏れ防止部材によって、カバー本体の内側に光が漏れることを確実に防止できる。
【００１８】
本発明に係る電子機器は、前述のカバーアクセサリと、該カバーアクセサリが装着された携帯用情報機器と、を備えることを特徴とする。
【発明の効果】
【００１９】
本発明によれば、ライトを覆う光拡散部を備えているので、暗い環境においてライトを使用してカメラ撮影した場合に良好な画質を適正に得ることができる。
【図面の簡単な説明】
【００２０】
【図１】図１は、本発明の第１実施形態に係る電子機器の平面図である。
【図２】図２は、本発明の第１実施形態に係る電子機器が備える携帯用情報機器の概略図である。図２（ａ）は携帯用情報機器の表面を示す図であり、図２（ｂ）は携帯用情報機器の背面を示す図である。
【図３】図３は、図１のＩＩＩ−ＩＩＩ矢視断面を示す図である。
【図４】図４は、カバーアクセサリが備えるカバー本体を表面側から背面側に折り返すときの状態を説明するための概略図である。
【図５】図５は、カバーアクセサリを背面側に折り返した時の電子機器を背面側から見た概略図である。
【図６】図６は、本発明の第１実施形態の変形例１に係る電子機器の概略説明図である。図６（ａ）は携帯用情報機器の表面側にカバーアクセサリを取り付けた状態を示す概略図であり、図６（ｂ）は図６（ａ）のＡ−Ａ断面図である。
【図７】図７（ａ）は、図６に示すカバーアクセサリが備える光拡散部をスライドさせたときの状態を示す概略図である。図７（ｂ）は、図７（ａ）のＢ−Ｂ断面図である。
【図８】図８は、本発明の第１実施形態の変形例２に係る電子機器を示す図である。
【図９】図９は、本発明の第２実施形態に係る電子機器の概略説明図である。
【図１０】図１０は、図９に示すカバーアクセサリの折り返し部を折り返した状態を示す概略図である。
【図１１】図１１は、図９に示すカバーアクセサリの折り返し部を折り返した状態を示す概略図である。
【図１２】図１２は、本発明の第２実施形態の変形例に係る電子機器の概略説明図である。
【図１３】図１３は、図１２に示すカバーアクセサリの折り返し部の一段階目を折り返した状態を示す概略図である。
【図１４】図１４は、図１２に示すカバーアクセサリの折り返し部の二段階目を折り返した状態を示す概略図である。
【図１５】図１５は、本発明の第３実施形態に係る電子機器の概略説明図である。図１５（ａ）は携帯用情報機器の表面側にカバーアクセサリを取り付けた状態を示す概略図であり、図１５（ｂ）は図１５（ａ）のＣ−Ｃ断面図であり、図１５（ｃ）は携帯用情報機器の背面側にカバーアクセサリを取り付けた状態を示す概略図である。
【発明を実施するための形態】
【００２１】
以下に添付図面を参照して、本発明に係るカバーアクセサリ及び電子機器の好適な実施形態について詳細に説明する。なお、以下の実施形態により本発明が限定されるものではない。また、各図面において、同一又は対応する要素には適宜同一の符号を付し、重複した説明を適宜省略する。
【００２２】
（第１実施形態）
まず、本発明の第１実施形態に係る電子機器１及びカバーアクセサリ２０について説明する。図１は、本発明の第１実施形態に係る電子機器１の平面図である。図２（ａ）は、第１実施形態に係る電子機器１が備える携帯用情報機器１０の表面側を示す概略図であり、図２（ｂ）は携帯用情報機器１０の背面側を示す概略図である。図３は、図１のＩＩＩ−ＩＩＩ矢視断面を示す図である。
【００２３】
電子機器１は、携帯用情報機器１０と、この携帯用情報機器１０に装着されたカバーアクセサリ２０とを備えている。本実施形態では、携帯用情報機器１０としてスマートフォンを一例として説明するがこれに限定されるものではなく、タブレット型ＰＣなどでも良い。
【００２４】
携帯用情報機器１０は、表面にディスプレイ１１及び操作ボタン１２が配設されるとともに、背面にカメラ１５及び撮影補助用のライト１６が配設されている。携帯用情報機器１０の側面には、カバーアクセサリ２０を装着するための係合溝１７が形成されている。
【００２５】
カバーアクセサリ２０は、カバー本体２１と、ヒンジ３０（折り返し機構）と、保護シート２３と、光拡散部２４と、壁部２５と、光漏れ防止部材２６と、を備えている。なお、図１においては、壁部２５及び光漏れ防止部材２６の図示が省略されている。カバーアクセサリ２０は、携帯用情報機器１０の表面側または背面側を保護するためのものである。図１及び図３においては、カバー本体２１が携帯用情報機器１０の表面側を保護した状態を示している。カバーアクセサリ２０は、ヒンジ３０によって折り返しが可能とされ、携帯用情報機器１０の表面側及び背面側を選択的に覆うことができるように構成されている。
【００２６】
カバー本体２１は、板状に形成され、かつ携帯用情報機器１０の表面側を覆う大きさに形成されている。カバー本体２１は、ディスプレイ１１と重なる位置に開口部２２が形成されている。この開口部２２は、カバーアクセサリ２０を背面側に折り返した際にカメラ１５及びライト１６に対応する位置に形成されている（図５参照）。この開口部２２には、保護シート２３、光拡散部２４、壁部２５、及び光漏れ防止部材２６が配設されている。
【００２７】
ヒンジ３０は、カバー本体２１の側面の方向に延びるように設けられており、一端部及び他端部に形成された係合突起部３１と、カバー本体２１を回動するフレキシブルヒンジ部３２と、カバー本体２１を回動可能に設けられた回動ヒンジ部３３とを備えている。係合突起部３１は、携帯用情報機器１０側に突出しており、この係合突起部３１が携帯用情報機器１０の係合溝１７に係合することによって、ヒンジ３０が携帯用情報機器１０に装着されている。
【００２８】
フレキシブルヒンジ部３２は、柔軟性のある材料で構成されており、カバー本体２１の側面側に連結するとともに回動ヒンジ部３３に連結されている。このフレキシブルヒンジ部３２は、携帯用情報機器１０の表面側を覆うカバーアクセサリ２０を折り返す際に、カバー本体２１を１８０°まで回動することが可能となっている。
【００２９】
回動ヒンジ部３３は、携帯用情報機器１０の側面の延在方向に延びており、軸心回りに回転可能となっている。この回動ヒンジ部３３は、フレキシブルヒンジ部３２によって１８０°まで回動されたカバー本体２１を、さらに１８０°回動することができるように構成されている。第１実施形態において、フレキシブルヒンジ部３２及び回動ヒンジ部３３は２か所設けられている。
【００３０】
図４は、カバーアクセサリ２０が備えるカバー本体２１を表面側から背面側に折り返すときの状態を説明するための概略図である。図４に示すように、表面側から背面側に折り返す場合、０°〜１８０°の範囲で折り返した状態では、フレキシブルヒンジ部３２がカバー本体２１を回動させる。そして、１８０°〜３６０°の範囲でさらに折り返すときには、回動ヒンジ部３３が回転し、カバー本体２１を背面側に回動させることによって、カバーアクセサリ２０が折り返される。
【００３１】
図５は、カバーアクセサリ２０を背面側に折り返した時の電子機器１を背面側から見た概略図である。前述したように、カバー本体２１に形成された開口部２２は、カメラ１５及びライト１６に対応する位置に形成されている。保護シート２３は、カメラ撮影時に光への影響が少ない低反射材料からなる透明なシートで構成されている。この保護シート２３は略矩形に形成されている。保護シート２３は、透明なため、携帯用情報機器１０の表面側をカバーアクセサリ２０が覆っている場合でも、開口部２２に配設された保護シート２３の位置から、ディスプレイ１１の画面の一部を操作者が視認できるようになっている（図１参照）。
【００３２】
光拡散部２４は、カバーアクセサリ２０を携帯用情報機器１０の背面側に折り返した場合に、ライト１６を覆うように配設されており、ライト１６から入力される光を拡散して出力する（図４参照）。具体的には光拡散部２４は、半透明材料からなるシートで構成されている。本実施形態において光拡散部２４は、略矩形に形成されている。なお、光拡散部の形状は、略矩形に限定されるものではなく、ライト１６を覆うとともにカメラ１５を囲うようにＬ字、Ｕ字などの形状に形成されていても良い。また、光拡散部２４は、この光拡散部２４の枠体として形成された壁部２５に連結されている。壁部２５がカバー本体２１の開口部２２内に連結されることで、開口部２２内に光拡散部２４が配置されている。また、壁部２５のうちカバー本体２１が連結された側と反対側には保護シート２３が連結されている。
【００３３】
壁部２５は光拡散部２４の形状と同様に平面視で略矩形に形成されており、携帯用情報機器１０の背面側に折り返した場合に、ライト１６の周囲を囲うように携帯用情報機器１０の背面に対して略垂直方向に延びて形成されている。また、この壁部２５は、カバーアクセサリ２０を携帯用情報機器１０の背面側に折り返した場合に、光拡散部２４よりも壁部２５が携帯用情報機器１０側に配置されるように設けられている。すなわち、本実施形態においては、光拡散部２４は、カメラ１５との間に距離を設けて配設される。また、壁部２５は内面が黒色処理または鏡面処理を施されていることが好ましい。
【００３４】
また、壁部２５において光拡散部２４が連結されている側と反対側には、光漏れ防止部材２６が設けられている。この光漏れ防止部材２６は、柔軟性のある材料で構成されており、カバーアクセサリ２０を携帯用情報機器１０の背面側に折り返した際に、壁部２５と携帯用情報機器１０との間の隙間を埋める。
【００３５】
上述した保護シート２３及び壁部２５（光拡散部２４）は、カバー本体２１の開口部２２に接着剤などで直接取り付けられても良い。また、開口部２２の位置でカバー本体２１を２つの部材に分割できるようにカバー本体を形成し、分割されたカバー本体で挟み込むようにして保護シート２３及び壁部２５（光拡散部２４）を取り付ける構成としても良い。
【００３６】
以上のような構成とされた第１実施形態に係る電子機器１及びカバーアクセサリ２０においては、光拡散部２４を備えているので、暗い環境においてライト１６を使用してカメラ撮影した場合に、白飛びの発生を抑制することができる。すなわち、電子機器１及びカバーアクセサリ２０においては、ライトの光を光拡散部２４によって拡散させることで対象物に達する光量が減少するので、白飛びの発生の抑制を図り、良好な画質を適正に得ることができる。
【００３７】
また、カバー本体２１には開口部２２が形成され、カバーアクセサリ２０を携帯用情報機器１０の背面側に折り返した場合に、開口部２２内にライト１６と重なる光拡散部２４が配設されているので、ライト１６を使用してカメラ撮影する際に、カバー本体２１によってライト１６からの光を遮ることなく、光拡散部２４によりライト１６からの光を拡散させてカメラ撮影を行うことができる。
【００３８】
また、カバーアクセサリ２０において、光拡散部２４は、携帯用情報機器１０のカメラ１５との間に距離を設けて配設されているので、ライト１６を使用してカメラ撮影した場合に、ライトと光拡散部とが密着している場合よりも、より白飛びの発生を抑制することができる。また、カバーアクセサリ２０は、ライト１６を囲う壁部２５を備えているので、ライト１６から出力される光を、壁部２５を通じて確実に光拡散部２４によって拡散させることができる。壁部２５の内面が黒色処理されている場合は、壁部２５の内面で反射した光が光拡散部２４から出力されることを抑制できる。また、壁部２５の内面が鏡面処理されている場合は、ライト１６から出力された光を壁部２５の内面で効率よく反射させ、光拡散部２４から出力される光を強くすることができる。また、ライト１６を光拡散部２４で覆わない方が良いときは、カバーアクセサリ２０の折り返し角度を調整してライト１６を光拡散部２４で覆わないように調整することで、撮影状況に応じてライト１６の光量を調整することができる。
【００３９】
（第１実施形態の変形例１）
次に、本発明の第１実施形態の変形例に係る電子機器１０１について説明する。第１実施形態の変形例において、上述した第１実施形態の電子機器１と同様の構成のものについては、同一の符号を付して記載し、詳細な説明を省略する。
【００４０】
図６は、本発明の第１実施形態の変形例１に係る電子機器１０１を示す図である。図６（ａ）は携帯用情報機器１０の表面側にカバーアクセサリ１２０を取り付けた状態を示す概略図であり、図６（ｂ）は図６（ａ）のＡ−Ａ断面図である。電子機器１０１は、携帯用情報機器１０と、この携帯用情報機器１０に装着されたカバーアクセサリ１２０と、を備えている。カバーアクセサリ１２０は、カバー本体１２１と、ヒンジ３０（折り返し機構）と、保護シート２３と、光拡散部１２４と、光漏れ防止部材２６と、スライド機構１２７とを備えている。なお、図６において、光拡散部１２４は、分かりやすいようにドットで示されている。
【００４１】
カバー本体１２１は、板状に形成され、かつ携帯用情報機器１０の表面側を覆う大きさに形成されている。カバー本体１２１は、カバーアクセサリ１２０を背面側に折り返した際にカメラ１５及びライト１６に対応する位置に開口部１２２が形成されている。この開口部１２２には、保護シート２３、光拡散部１２４、壁部１２５、光漏れ防止部材２６、及びスライド機構１２７が配設されている。
【００４２】
光拡散部１２４は、カバーアクセサリ１２０を携帯用情報機器１０の背面側に折り返した場合に、ライト１６を覆うように配設されており、ライト１６から入力される光を拡散して出力する。この光拡散部１２４は、開口部１２２の縦方向（図６において上下方向）の長さよりも若干長く形成されている。光拡散部１２４は、スライド機構１２７によって開口部１２２の横方向（図６において左右方向）に移動可能に構成されている。
【００４３】
スライド機構１２７は、光拡散部１２４が外周端を囲むように設けられた枠体１２８を有している。枠体１２８は、対抗する端部（図６（ａ）において上下端部）がカバー本体１２１の開口部１２２に連続する溝部（図示なし）に嵌め込まれることで開口部１２２に取り付けられている。カバー本体１２１には、このカバー本体１２１の開口部１２２に連続し、光拡散部１２４を収容可能な溝部１２２ａが形成されている。枠体１２８のうち溝部１２２ａに遠い側の一端１２８ａは、溝部１２２ａに連続する開口部１２２の端部１２２ｂに当接する高さに形成されている。
【００４４】
図７（ａ）は、図６に示すカバーアクセサリ１２０が備える光拡散部１２４をスライドさせたときの状態を示す概略図である。図７（ｂ）は、図７（ａ）のＢ−Ｂ断面図である。なお、図７（ａ）において、光拡散部１２４は、分かりやすいようにドットで示されている。スライド機構１２７は、枠体１２８を溝部１２２ａ内にスライドさせることによって光拡散部１２４をスライド可能に構成されている。より具体的には、操作者が枠体１２８の一端１２８ａを左右に操作することで光拡散部１２４全体をスライドできるようになっている（図６及び図７参照）。これにより、ライト１６を光拡散部１２４で覆うか否かを選択できる。
【００４５】
光拡散部１２４がライト１６を覆う状態にした場合、壁部１２５が枠体１２８と連接するようになっている。この壁部１２５において枠体１２８と連接する側と反対側には、光漏れ防止部材２６が配設されている。壁部１２５の内面は、内面が黒色処理または鏡面処理を施されていることが好ましい。また、枠体１２８も壁部１２５と同様に、黒色処理または鏡面処理を施されていることが好ましい。
【００４６】
以上のような構成とされた第１実施形態の変形例１に係るカバーアクセサリ１２０においては、スライド機構１２７によって光拡散部１２４を開口部１２２において移動させることで必要に応じてライト１６を光拡散部１２４で覆うか否かを選択することができる。これにより、撮影環境に応じて適切な光量となるように調節してカメラ撮影することができ、良好な画質を適正に得ることが可能である。
【００４７】
（第１実施形態の変形例２）
次に、本発明の第１実施形態の変形例２に係る電子機器２０１について説明する。図８は、本発明の第１実施形態の変形例２に係る電子機器２０１を示す図である。電子機器２０１は、カバーアクセサリのヒンジの構成が電子機器１と異なっている。すなわち、第１実施形態では、ヒンジ３０が回動ヒンジ部３３を備える場合について説明したが、電子機器２０１では、ヒンジ２３０が回動ヒンジ部を備えておらず、フレキシブルヒンジ部２３２のみで構成されている。
【００４８】
このフレキシブルヒンジ部２３２は３６０°折れ曲がることができる。図８の破線で示すように、フレキシブルヒンジ部２３２が３６０°折れ曲がることで、カバーアクセサリ２２０を携帯用情報機器１０の表面側から背面側に折り返すことができる。
【００４９】
（第２実施形態）
次に、本発明の第２実施形態に係る電子機器３０１について説明する。第２実施形態において、上述した第１実施形態の電子機器１と同様の構成のものについては、同一の符号を付して記載し、詳細な説明を省略する。
【００５０】
図９は、本発明の第２実施形態に係る電子機器３０１の概略説明図である。図１０は、図９に示すカバーアクセサリ３２０の折り返し部３４０を折り返した状態を示す概略図である。電子機器３０１は、携帯用情報機器３１０と、この携帯用情報機器３１０に取り付けられたカバーアクセサリ３２０とを備えている。携帯用情報機器３１０は、表面にディスプレイ及び操作ボタン（図示なし）が配設されるとともに、背面にカメラ３１５及び撮影補助用のライト３１６が配設されている。携帯用情報機器１０の側面には、カバーアクセサリ３２０を装着するための係合溝１７が形成されている。
【００５１】
カバーアクセサリ３２０は、カバー本体３２１と、ヒンジ３０と、光拡散部３２４とを備えている。カバー本体３２１は、板状に形成され、かつ携帯用情報機器３１０と同様の大きさに形成されている。このカバー本体３２１は、カメラ３１５及びライト３１６を覆うとともに折り返し可能に構成された折り返し部３４０を有している。この折り返し部３４０は、図９、１０に示す折り返し線Ａの位置で折り返される。この折り返し部３４０に光拡散部３２４が配設されるとともに、折り返し部３４０を折り返した状態で、光拡散部３２４でライト３１６を覆うか否かを切り替え可能に構成されている。
【００５２】
具体的には、光拡散部３２４は、一部が接着剤などによってカバー本体３２１に接着されており、光拡散部が折り返し可能に構成されている。図１０の光拡散部３２４において、ドットで示される領域が接着剤で接着された領域である。ここで、図１０に示すように、折り返し部３４０を折り返した状態で、光拡散部３２４を折り返さなければライト３１６を光拡散部３２４で覆う状態とすることができる。一方、図１１に示すように、折り返し部３４０を折り返した状態で、光拡散部３２４を接着材によって接着された位置で折り返すことで、ライト３１６を光拡散部３２４で覆わない状態にできる。このようにして、容易に光拡散部３２４でライトを覆うか否かを切り替えることができる。なお、第２実施形態において、光拡散部３２４は、ライト３１６との間に間隔をあけずに配設されている。
【００５３】
以上のような構成とされた第２実施形態に係る電子機器３０１及びカバーアクセサリ３２０においては、カバーアクセサリ３２０を携帯用情報機器３１０の背面側に折り返した状態で、折り返し部３４０を折り返すことによって、カバー本体３２１によって遮られることなくカメラ３１５及びライト３１６を露出させ、カメラ撮影を行うことができる。さらに、光拡散部３２４でライトを覆うか否かを切り替え可能に構成されているので、必要に応じてライト３１６の光を光拡散部３２４で拡散させるかどうかを選択できるため、光量を調整して適正にカメラ撮影を行うことができる。
【００５４】
（第２実施形態の変形例）
次に、本発明の第２実施形態の変形例に係る電子機器４０１について説明する。第２実施形態の変形例において、上述した第２実施形態の電子機器３０１と同様の構成のものについては、同一の符号を付して記載し、詳細な説明を省略する。図１２は、本発明の第２実施形態の変形例に係る電子機器４０１の概略説明図である。図１３は、図１２に示すカバーアクセサリ４２０の折り返し部４４０の一段階目を折り返した状態を示す概略図である。図１４は、図１２に示すカバーアクセサリ４２０の折り返し部４４０の二段階目を折り返した状態を示す概略図である。
【００５５】
電子機器４０１は、携帯用情報機器３１０と、この携帯用情報機器３１０に装着されたカバーアクセサリ４２０とを備えている。カバーアクセサリ４２０は、カバー本体４２１と、ヒンジ３０と、光拡散部４２４とを備えている。カバー本体４２１は、板状に形成され、かつ携帯用情報機器３１０と同様の大きさに形成されている。このカバー本体４２１は、カメラ３１５及びライト３１６を覆うとともに折り返し可能に構成された折り返し部４４０を有している。
【００５６】
第２実施形態の変形例においては、折り返し部４４０が２段階に折り返し可能に構成され、１段階目（図１２において折り返し線Ａで示される位置）を折り返した場合、光拡散部４２４がライト３１６を覆う状態となり、２段階目（図１２において折り返し線Ｂで示される位置）を折り返した場合、光拡散部４２４がライト３１６を覆わない状態となる構成とされている。光拡散部４２４は、光拡散部３２４と同様に、一部が接着剤などによってカバー本体４２１に接着されている。図１２の光拡散部４２４において、ドットで示される領域が接着剤で接着された領域である。ここで、図１３に示すように、折り返し線Ａで折り返した場合、接着剤で接着されていない光拡散部４２４の領域がカメラ３１５を覆うことができる。一方、折り返し線Ｂで折り返した場合、光拡散部４２４は、全面が折り返し部４４０とともに折り返されて、光拡散部４２４がライト３１６を覆わない状態とすることができる。
【００５７】
以上のような構成とされた第２実施形態に係る電子機器４０１及びカバーアクセサリ４２０においては、折り返し部４４０を２段階に折り返すことによって、容易に、カバー本体４２１がライト３１６を覆う状態と覆わない状態とを切り替えることができる。これにより、必要に応じてライト３１６から出力される光を光拡散部４２４によって拡散させるか否かを選択することができ、光量を調整して適正にカメラ撮影を行うことが可能である。
【００５８】
（第３実施形態）
次に、本発明の第３実施形態の変形例に係る電子機器５０１について説明する。第３実施形態において、上述した第１実施形態の電子機器１と同様の構成のものについては、同一の符号を付して記載し、詳細な説明を省略する。図１５は、本発明の第３実施形態に係る電子機器５０１の概略説明図である。図１５（ａ）は携帯用情報機器１０の表面側にカバーアクセサリ５２０を取り付けた状態を示す概略図であり、図１５（ｂ）は図１５（ａ）のＣ−Ｃ断面図であり、図１５（ｃ）は携帯用情報機器１０の背面側にカバーアクセサリ５２０を取り付けた状態を示す概略図である。
【００５９】
電子機器５０１は、携帯用情報機器１０と、この携帯用情報機器１０に装着されたカバーアクセサリ５２０とを備えている。カバーアクセサリ５２０は、カバー本体５２１と、側壁部５５０と、保護シート２３と、光拡散部２４と、壁部（図示なし）と、光漏れ防止部材（図示なし）と、を備えている。カバー本体５２１には、開口部２２が形成されており、携帯用情報機器１０の表面側にカバーアクセサリ５２０を装着した場合は、開口部２２がディスプレイ１１の一部と重なり、携帯用情報機器１０の背面側にカバーアクセサリ５２０を装着した場合は、開口部２２がカメラ１５及びライト１６と対応する位置になる。この開口部２２には、第１実施形態で説明したカバーアクセサリ２０と同様に、保護シート２３と、光拡散部２４と、壁部と、光漏れ防止部材とが設けられている。
【００６０】
側壁部５５０は、携帯用情報機器１０の側面を覆うものであり、図１５（ｂ）に示すように、カバー本体５２１の外周端に連接されるとともに、カバー本体５２１に対して略垂直な方向に延びている。側壁部５５０において、カバー本体５２１が連接される側と反対側の端部には、カバーアクセサリ５２０の内側にわずかに突出する突起部５５１が形成されている。この突起部５５１が携帯用情報機器１０の外周端に引っ掛かることでカバーアクセサリ５２０が携帯用情報機器１０に装着される。
【００６１】
以上のような構成とされた電子機器５０１及びカバーアクセサリ５２０においては、携帯用情報機器１０の表面側にカバーアクセサリ５２０を装着した場合、ディスプレイ１１を保護しながらもディスプレイ１１の一部に表示された情報を保護シート２３が設けられた位置から視認することができる。ここで、光拡散部２４と重なるディスプレイの部分は文字などを視認しづらくなるため、保護シート２３と重なるディスプレイ１１の部分にのみ情報が表示されるようにしても良い。一方、携帯用情報機器１０の背面側を覆うようにカバーアクセサリ５２０を装着した場合（図１５（ｃ）参照）、ライト１６を使用してカメラ撮影した際にライト１６から出力される光を光拡散部２４で拡散することができるので、白飛びの発生を抑制することが可能である。
【００６２】
なお、上記の実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【００６３】
例えば、第１実施形態においては、カバーアクセサリを携帯用情報機器の背面側に折り返した場合に、光拡散部はライトとの間に間隔をあけて設けられている場合について説明したが、光拡散部はライトとの間に間隔をあけずに設けられていても良い。また、第２実施形態においては、光拡散部はライトとの間に間隔をあけずに設けられている場合について説明したが、光拡散部はライトとの間に間隔をあけて設けられても良い。
【符号の説明】
【００６４】
１、１０１、２０１、３０１、４０１、５０１  電子機器
１０、３１０  携帯用情報機器
１１  ディスプレイ
１２  操作ボタン
１５、３１５  カメラ
１６、３１６  ライト
１７  係合溝
２０、１２０、２２０、３２０、４２０、５２０  カバーアクセサリ
２１、１２１、３２１、４２１、５２１  カバー本体
２２、１２２  開口部
２３  保護シート
２４、１２４、３２４、４２４  光拡散部
２５、１２５  壁部
２６  光漏れ防止部材
３０、２３０  ヒンジ（折り返し機構）
３１  係合突起部  
３２、２３２  フレキシブルヒンジ部
３３  回動ヒンジ部
１２２ａ  溝部
１２２ｂ  端部
１２７  スライド機構
１２８  枠体
１２８ａ  一端
３４０、４４０  折り返し部
５５０  側壁部
５５１  突起部
Ａ、Ｂ  折り返し線
【図１】
2016218250.tif 000003
【図２】
2016218250.tif 000004
【図３】
2016218250.tif 000005
【図４】
2016218250.tif 000006
【図５】
2016218250.tif 000007
【図６】
2016218250.tif 000008
【図７】
2016218250.tif 000009
【図８】
2016218250.tif 000010
【図９】
2016218250.tif 000011
【図１０】
2016218250.tif 000012
【図１１】
2016218250.tif 000013
【図１２】
2016218250.tif 000014
【図１３】
2016218250.tif 000015
【図１４】
2016218250.tif 000016
【図１５】
2016218250.tif 000017